(57)【要約】      （修正有）【課題】開口部が簡単に開らかず、収納物の収納が安定し且つ使い勝手もよく、デザイン的にも優れた、低価格且つ自然にやさしいエコ商品としてのリュックサック型紙袋を提案する。【解決手段】胴体部２の底部を形成する底部折り代片の接着と同時に挟み込むように接着された左右に伸びる平紐１２と、扁平状に畳んだ状態において開口部の両肩部を互いに内側に折り込むように構成された左右折畳肩部７と、これにより形成される台形状頂部をさらにその上に折り込むように構成させた中央折畳部９と、同中央折畳部９と胴体部２上部に形成した上記平紐１２を通すための貫通孔とを備えたリュックサック型紙袋。【選択図】図１
0003143093.tif 000002
【実用新案登録請求の範囲】
【請求項１】
ガゼット付きの紙製の胴体部と、同胴体部の底部を形成する角底部の底部折り代片の接着と同時に挟み込むように接着された左右に伸びる紙製の平紐と、胴体部を扁平状に畳んだ状態において、開口部の両肩部を表面側において互いに内側に折り込むように構成された左右折畳肩部と、この左右折畳肩部を折り込んだ結果生じた台形状頂部を、上記左右折畳肩部の上に折り込むように構成された中央折畳部と、上記中央折畳部に形成した上記平紐を通すための第１貫通孔と、胴体部に形成した中央折畳部の折り込み時第１貫通孔と対峙する平紐を通すための第２貫通孔とを備えたことを特徴とするリュックサック型紙袋。
【考案の詳細な説明】
【技術分野】
【０００１】
本考案は、買い物等の収納袋として用いられるガゼット付きの紙袋に係り、特にリュックサック型紙袋に関するものである。
【背景技術】
【０００２】
一般に、ガゼット付きの紙袋は、非使用時には胴体部分を扁平状に畳んで保管することができる一方、使用時にはガゼット折りした両側面の伸張により胴体部を拡大して内部に多くの物品を収納することができるので、環境にやさしいエコ商品として買い物袋等の収納袋として幅広く使用されている。しかし、比較的重量のある物品を運ぶのには適さず、周囲の歩行者にぶつかって危害を加える虞もある。また、高齢者にとっては、比較的重いものを袋に入れて移動することは体力的に困難で、体の安定性を欠くため危険である。そして、雨天で傘を使う場合などには手提げ用紙袋は不便である。
【０００３】
この点、比較的重い物品を運ぶにはリュックサックが適しているが、一般に市販されているリュックサックは布製・皮製・ビニールシート製で単価も高く、安価な買い物袋用としては適さない。このため、低価格且つ自然にやさしいエコ商品としてのリュックサック型紙袋が望まれ、例えば実用新案登録第３０２１８２９号公報（特許文献１）、特開２００１−２７８２９１号公報（特許文献２）、特開平２０００−２５７９２号公報（特許文献３）として多々提案されている。また、軟質シートを用いたものであるが簡易型として特開平７−１７５４５号公報（特許文献４）もある。
【０００４】
特許文献１は、ガゼット付き紙袋の底部左右に設けた孔にそれぞれ紐の一端を通して留める一方、開口部中央に設けた孔に左右の紐の他端をまとめて通して留めることにより、紐を肩掛け可能とし紙袋をリュックサックとして使用できるようにしたものである。なお、開口部は突片にて開閉自在としている。
【０００５】
特許文献２及び特許文献３は、ガゼット付き紙袋の上部開口部の４隅に設けた孔に順次紐通し、その紐両端を底部の左右に設けた孔にそれぞれ通して留めることにより、紐を肩掛け可能とし紙袋をリュックサックとして使用できるようにしたものである。
【０００６】
また、特許文献４は、袋状体の開口部の周囲に設けた紐通し穴に１本の紐を通し、その紐の一端を袋状体の下部中央に設けた穴を通して紐の他端と結んだもので、これにより、紐を絞って開口部を閉塞し、上下にのびる紐を肩掛け可能としたものである。
【特許文献１】実用新案登録第３０２１８２９号公報
【特許文献２】特開２００１−２７８２９１号公報
【特許文献３】特開２０００−２５７９２号公報
【特許文献４】特開平７−１７５４５号公報
【考案の開示】
【考案が解決しようとする課題】
【０００７】
しかしながら、特許文献１乃至特許文献３は、比較的重い物品を運ぶのに適したリュックサック型紙袋を提供することができるが、特許文献１にあっては、背負袋の開口部を突片でフタする構造のため、例えば紙袋を背負った状態で前屈みになると、突片がめくれて開口部から収納物が飛び出る問題があった。また、紙袋の背面側側面上部に設けられた孔に紐を通して留めているため、背負い時同孔部位に集中して荷重がかかり破損したり、同孔から紐が外れる虞もあった。
これに対し、特許文献２及び特許文献３は、胴体部の開口部の４隅に設けた孔に順次紐を通しているため、紙袋を背負うと紐が引っ張られて開口部が前後から閉じられるので、荷重が分散し同部位が破損したり紐が外れる虞は少ないが、上記同様紙袋を背負った状態で前屈みになると、紐が緩んで開口部が開き収納物が飛び出る問題があった。また、紙袋を床に置くと同じく開口部が開き、外から中に何が入っているか覗かれたり、異物の混入、更には紙袋が倒れた際に収納物が飛び出るなどの問題も有していた。
【０００８】
なお、特許文献４のように、開口部の周囲に設けた紐通し穴に１本の紐を通し、この紐を引っ張って開口部を塞ぐことも考えられる。しかし、軟質シートであれば問題ないが紙袋は所要の硬性を有しているため、紐を絞って開口部を閉じることは難しく、無理やり閉じると開口部分が折れ曲がり、その繰り返し動作によって紙袋が破損するため採用することはできない。
【０００９】
また、これ等従来のリュックサック型紙袋においては、使用時にはガゼット折りした両側面の伸張により胴体部を拡大して内部に多くの物品を収納することができる反面、収納物の安定性を欠き、例えば内部にビン類を収納した場合、ビン同士が自由に動き互いにぶつかって音がしたり、場合により割れる虞もあった。さらには、デザイン性も紙袋の材質や表面の印刷により高めるだけで、販売店よりもっと高級感のあるリュックサック型紙袋が要望されていた。
【００１０】
本考案は、上述のような問題点に鑑みなされたものであり、開口部が簡単に開いて収納物が露出して他人に覗かれたり、異物の混入、倒れた際に収納物が飛び出るなどの虞もなく、また、収納物の収納安定性且つ使い勝手がよく、デザイン的にも優れた、低価格且つ自然にやさしいエコ商品としてのリュックサック型紙袋を提供するものである。
【課題を解決するための手段】
【００１１】
ガゼット付きの紙製の胴体部と、同胴体部の底部を形成する角底部の底部折り代片の接着と同時に挟み込むように接着された左右に伸びる紙製の平紐と、胴体部を扁平状に畳んだ状態において、開口部の両肩部を表面側において互いに内側に折り込むように構成された左右折畳肩部と、この左右折畳肩部を折り込んだ結果生じた台形状頂部を、上記左右折畳肩部の上に折り込むように構成された中央折畳部と、上記中央折畳部に形成した上記平紐を通すための第１貫通孔と、胴体部に形成した中央折畳部の折り込み時第１貫通孔と対峙する平紐を通すための第２貫通孔とを備えたリュックサック型紙袋。
【考案の効果】
【００１２】
本考案に係るリュックサック型紙袋は、左右折畳肩部を表面側且つ内側に折り込み、その上に中央折畳部を折り込むように構成し、同中央折畳部の中央部を平紐で止めるようにしたものであるから、左右ガゼット部の広がりを抑制すると共に、中央部を締め付けて内部収納物を胴体部を介して押さえ込む構成とすることができ、収納物の収まりも安定し収納物が自由に動くのを未然に防止できる。よって、安全に運搬でき、安心して使用できる。また、中央折畳部が開口部の蓋となり、開口部が開口し内部を覗かれたり、異物の混入や、床に置き倒れた際にも収納物が飛び出るのも確実に防止することができる。
【００１３】
また、貫通孔部分は折り重ねられ４層構造となって強度を稼ぐことができ、同部分が簡単に破損するのを防止することができる。
【００１４】
また、ガゼット付きの胴体部の底部を形成する底部折り代片が互いに接着されるとき、底部折り代片の接着と同時に平紐を挟み込むように接着してなるので、特段の製造工程を付加することなく従来の製造工程にて平紐の取り付けを簡単且つ安価に行うことができる。また、平紐としているので接着性も高く底部の強度を低下することなくしっかりと取り付けすることができる。
【００１５】
また、肩紐を紙製の平紐にて構成してなるので、この平紐を力強く結んだり、収納物の荷重により引っ張られて結び目が締まっても、平紐自体が所要の硬性を有しているため、結び目が強く締まり過ぎて解けなくなることもない。
【００１６】
また、紙袋本体も左右折畳肩部及び中央折畳部の折り込み形状によりデザイン的にも外観形状をリュックサック形状により近似させることができファッション性をより高めることができると共に、紙袋の材質及び表面印刷などとの相乗効果により高級感をもたせ、販売店や購入商品のイメージ向上を著しく高めることができる。
【００１７】
また、これ等は全て紙製で形成できるものであり、自然にやさしいエコ商品として、且つ簡単な構成にして安価に提供することができる。
【考案を実施するための最良の形態】
【００１８】
以下、本考案の一実施例について、図に基づいて以下詳細に説明する。図１は本考案に係るリュックサック型紙袋の使用状態を示すリュックサック型紙袋の斜視図、図２は本考案に係るリュックサック型紙袋の表面側から見た正面図、図３は本考案に係るリュックサック型紙袋の収納物の出し入れ状態時を示す背面側から見た図、図４は本考案のリュックサック型紙袋の平紐の作動状態を示す図。図５は本考案のリュックサック型紙袋の使用時の貫通孔部位を示す要部断面図。図６は本考案に係るリュックサック型紙袋の収納状態を示し、（ａ）は正面一部断面図、（ｂ）は縦断面図、（ｃ）は横断面図である。
【００１９】
図中、１はリュックサック型紙袋本体で、天然紙や合成紙などから構成している。なお、汗、雨などの対策として、ラミネート紙などの加工紙を用いて素材に撥水効果をもたせるのもよいし、原紙を多層構造にして耐久性を向上させても、さらには和紙などを用いて高級感をもたせるようにしてもよい。２はリュックサック型紙袋本体１の胴体部で、同胴体部２の左右側部にはガゼット部３が形成され、下部側の一端は図３に示すように胴体部２の底部を構成する角底部４により閉塞する一方、上部側の他端は図３に示すように物品を出し入れするための開口部５により全面開口してなる。なお、上記胴体部２と角底部４は後述するように１枚の原紙を折り曲げて、その底部折り代片を接着することにより一体的に形成している。
【００２０】
７は図２に示すように胴体部２を扁平状に畳んだ状態で開口部５の両肩部６を互いに表面側２ｂにおいて内側に折り込むように構成された左右折畳肩部。９はこの左右折畳肩部７を折り込んだ結果生じた台形状頂部８を、同じく表面側２ｂにおいて左右折畳肩部７上に重ねるように下に向かって折り込み構成された中央折畳部である。１０はこの中央折畳部８中央部に形成した第１貫通孔、１１は胴体部２上部に位置して上記中央折畳部７折り込み時に第１貫通孔１０に対応して形成した第２貫通孔で、同第１貫通孔１０及び第２貫通孔１１は、中央折畳部９折り込み時に互いに対峙するようになっている。１２は上記角底部４に取り付けられた左右に伸びる紙製の平紐で、その自由端１３を後述するように上記貫通孔１０、１１に挿入するようにしてなる。
【００２１】
なお、中央折畳部９が折り込まれた状態においては、図５に示すように平紐１２が係止される貫通孔１０、１１部位は胴体部２及び中央折畳部９の折り込みにより４重構造となるため所要の強度を十分保つことができ、荷重が同部位に掛かっても簡単に破損することはないが、本体１の原紙の材質や予定収納物の重量を考慮して、同図５に示すように貫通孔１０、１１の縁部を補強するための補強紙１５を必要に応じて備えてもよい。この補強紙１５は、図３に示すように○形状や図１４に示すように△形状の他、□、☆、キャラクターをデザインした形状にしてもよく、さらに、図５に示すように平紐１２の結び目１４の荷重が直接かかる表面側２ｂとなる第１貫通孔１０側の補強紙１５ａを第２貫通孔１１側の補強紙１５ｂに比し大きくしてその強度を大とすると望ましい。
【００２２】
また、胴体部２の表面側２ｂには必要に応じて例えば図１に示すように好みの模様や販売店のマークや店名等の印刷１６を施してもよい。
【００２３】
以上の構成において、その使用時について以下説明する。図２において中央折畳部９を反矢印方向に、次に左右折畳肩部７を反矢印方向にそれぞれ開き、図３に示すように開口部５を開口して内部に収納物、例えば衣類やビン類などを収納する。しかる後、今度は逆に左右折畳肩部７を矢印方向に、次に中央折畳部９を矢印方向にそれぞれ折り込む。そして、図４に示すように平紐１２の２本の自由端１３を一つにまとめて第２、第１貫通孔１１、１０を介して背面側２ａから表面側２ｂに挿通した後、この２本の平紐１２と胴体部２の隙間に腕を通す余裕を持たせて大きな結び目１４を形成する。なお、平紐１２の結び目１４の位置を変えることにより、肩紐の長さを自由に調整する。この状態で平紐１２を肩紐としてリュックサック型紙袋本体１を背負うと、内容物の重量により平紐１２が図５中矢印方向に引っ張られ、結び目１４がストッパーになって胴体部２と中央折畳部９が密着するため、この中央折畳部９が蓋となって開口部５を閉塞する。仮に背負った状態で前屈みとなっても、平紐１２が緩み胴体部２と中央折畳部９の密着状態が緩和されるが、同中央折畳部９が開くことはなく収納物が開口部５から飛び出ることはない。
【００２４】
また、リュックサック型紙袋本体１を床に置いても、同じく平紐１２の結び目１４によって中央折畳部９が開くのを阻止されるので、開口部５が開口状態となって外から中に何が入っているか覗かれたり、異物の混入、更には本体１が倒れた際に収納物が飛び出ることもない。
【００２５】
収納物を取り出す場合には、上記平紐１２の結び目１４を解いて貫通孔１０、１１から引き抜き、上記同様中央折畳部９及び左右折畳肩部７を開いて開口部５を開口し収納物を取り出す。
【００２６】
なお、結び目１４を形成する際に平紐１２を強く引っ張ったり、或いは運搬時に収納物の荷重によって平紐１２が引っ張られて結び目１４が締め付けられたとしても、紙製の平紐１２自体は所要の硬性を有しているので、結び目１４が解けなくなるまで強く結び込まれることはなく、確実に解くことができる。
【００２７】
ここで、袋内に収納物を収納して背負った状態時においては、図６（ａ）、（ｂ）、（ｃ）に示すように左右折畳肩部７の折込みと、平紐１２による中央折畳部９の締め付けにより、上部左右及び中央から左右ガゼット部３、３の広がりを抑制すると同時に中央を締め付けてなるので、内部の収納物は胴体部２を介して包み込まれるように押さえられ、収納物の移動や転がりによる袋のたわみを防止する。よって、収納物の収まりも安定し、例えばビン類を収納時互いにぶつかって音がしたり破損するのを極力防止し、安心して運搬することができる。
【００２８】
次に以上のように構成されるリュックサック型紙袋本体１の製造方法を図７乃至図１３を用いて説明する。先ず、図７に示すように紙袋の材料となりうる方形状の原紙２０を用意し、２箇所に山折り線２１と谷折り線２２を形成して図８に示すように折り曲げ、胴のり代部２３に接着剤を塗布、接着し、ガゼット部３を形成する。次に図９に示すように下部側の一端を八角形状に折り込み、１本の平紐１２のほぼ中央部を背面側２ａとなる底部折り曲げ線２４に沿って設置し、同平紐１２を挟んだ状態で底部折り代片４ａ、４ａを図１０に示すように順次折り重ねて接着し角底部４を形成する。これにより、平紐１２を取り付けるための工程を別途設けることなく、単に角底部４の形成工程を用いて簡単且つ確実に行うことができ、作業性もよく安価に実施可能である。
【００２９】
そして、上部側の他端に、図１１に示すように表面側２ｂにおいて開口部５の左右肩部６、６に位置して斜めに第１折り曲げ線２５をそれぞれ形成し、同第１折り曲げ線２５に沿って折り込み図１２に示すように左右折畳肩部７を構成すると共に、その結果中央部位に台形状頂部８を形成する。しかる後、同図１２に示すように上端より所要間隔Ｌ１を有して第２折り曲げ線２６を形成し、同第２折り曲げ線２６に沿って折り込み中央折畳部９を構成することにより、図１３に示すように本体１をリュックサック形状に成型させる。
【００３０】
なお、図１２に示すセンターラインＳ上、且つ上記第２折り曲げ線２６に対してほぼ同一間隔Ｌ２をおいて上下に平紐１２の幅とほぼ同一とした中央折畳部９側に第１貫通孔１０を、胴体部２側に第２貫通孔１１を形成する。また、必要に応じて上述した補強紙１５を貼着する。これによって、中央折畳部９を第２折り曲げ線２６に沿って折り込んだ際、第１貫通孔１０と第２貫通孔１１は互いに対峙し平紐１２を背面側２ａから表面側２bに挿通することができる。
【００３１】
上記実施例においては、１本の平紐１２のほぼ中央部を底部折り曲げ線２４に沿って設置し、同平紐１２を挟んだ状態で底部折り代片４ａ、４ａを順次折り重ねて接着し角底部４を形成するようにしたが、例えば図１５に示すように、平紐１２の両自由端１３側を底部に挟み込み、折り返し片４ａ、４ａを順次折り重ねて接着し角底部４を形成し、ループ状の平紐１２の紐中央部２７を２つ折りにして上記貫通孔１０，１１に挿通するようにしてもよい。この場合、平紐１２の紐中央部２７が一つにまとめられているので、貫通孔１０、１１への挿入作業もし易く、平紐１２がばらけることもないので使い勝手の良いものとなる。
【００３２】
また、底部補強紙については、底部の強度をさらに確保するために、底部表面に貼り合わせても、折り返し片４ａ、４ａを順次折り重ねて接着する際一緒に内側に挿しこんでもよい。さらに、上記２つの補強紙を併用してもよい。
【００３３】
本考案によるリュックサック型紙袋は、外観形状をリュックサック形状により近似させたデザインとすることができるのでファッション性に富み、今までにない高級感をもたせることができる。さらに、紙袋の材質や表面の印刷との相乗効果と相まって、販売店や商品のイメージ向上を著しく図ることができる。しかもこれ等すべて紙を使い、金属、硬質プラスチックなどを一切使わないエコ商品で、安価に提供することができる。
【産業上の利用可能性】
【００３４】
買い物用等に用いるガゼット付きのリュックサック型紙袋に適用できる。
【図面の簡単な説明】
【００３５】
【図１】本考案に係るリュックサック型紙袋の使用状態を示す斜視図。
【図２】本考案に係るリュックサック型紙袋の未使用状態を示す表面側から見た正面図。
【図３】本考案に係るリュックサック型紙袋の収納物の出し入れ状態時を示す背面側から見た図
【図４】本考案に係るリュックサック型紙袋の平紐の作動状態を示す図。
【図５】本考案に係るリュックサック型紙袋の使用時の貫通孔部位を示す要部断面図。
【図６】本考案に係るリュックサック型紙袋の収納状態を示し、（ａ）は正面一部断面図、（ｂ）は縦断面図、（ｃ）は横断面図
【図７】図１のリュックサック型紙袋を製造するのに用いる原紙を示した平面図。
【図８】図７の原紙を筒状にした状態を示す斜視図。
【図９】図８の筒状体の一端に角底部を形成すると共に、平紐を取付ける過程を示す図。
【図１０】図９の工程を経て筒状体の一端に角底部を形成された状態を示す図。
【図１１】図１０の角底部が形成された筒状体の他端に左右折畳肩部を形成する工程を示す図。
【図１２】図１１の工程を経て中央折畳部を形成した状態を示す図。
【図１３】図１２の工程を経て本考案のリュックサック型紙袋を形成した状態を示す正面図。
【図１４】本考案に係るリュックサック型紙袋の補強紙の他の実施例を示す図。
【図１５】本考案に係るリュックサック型紙袋の平紐の取付け工程の他の実施例を示す図。
【符号の説明】
【００３６】
１  紙袋本体
２  胴体部
２ａ  背面側
２ｂ  表面側
３  ガゼット部
４  角底部
４ａ  底部折り代片
５  開口部
６  肩部
７  左右折畳肩部
８  台形状頂部
９  中央折畳部
１０  第１貫通孔
１１  第２貫通孔
１２  平紐
１３  自由端
１４  結び目
１５、１５ａ、１５ｂ  補強紙
１６  印刷
２０  原紙
２１  山折り線
２２  谷折り線
２３  胴のり代部
２４  底部折り曲げ線
２５  第１折り曲げ線
２６  第２折り曲げ線
２７  紐中央部
Ｌ１、Ｌ２  間隔
【図１】
0003143093.tif 000003
【図２】
0003143093.tif 000004
【図３】
0003143093.tif 000005
【図４】
0003143093.tif 000006
【図５】
0003143093.tif 000007
【図６】
0003143093.tif 000008
【図７】
0003143093.tif 000009
【図８】
0003143093.tif 000010
【図９】
0003143093.tif 000011
【図１０】
0003143093.tif 000012
【図１１】
0003143093.tif 000013
【図１２】
0003143093.tif 000014
【図１３】
0003143093.tif 000015
【図１４】
0003143093.tif 000016
【図１５】
0003143093.tif 000017